(57)【要約】  本発明は、皮膚美容、脱毛治療、肥満治療などのためのマイクロニードル治療装置に関する。本発明は、ガンの駆動方式を用いて、複数の注射針にて人体の皮膚に穴を開けながら、これと同時に、薬物を注入できる新たな治療装置及び方法を具現することで、治療時間を画期的に低減でき、痛みを最小化しながら、薬物の浸透効果を高めることができるなど、治療効果を極大化することができる一方、注射する薬物の種類によって、マイクロニードル治療又はメソセラピーが可能であり、特に、非常に多くの回数の注射が短時間で行え、かつ、メソセラピーを効率的に行えるマルチインジェクション可能なマイクロニードル治療装置を提供する。【選択図】図１
2010508058.tif 000002
【特許請求の範囲】
【請求項１】
薬物を伝達するための多数本の注射針が設けられ、注射器に連結される極微針マウントと、
前記極微針マウントを皮膚に差し込んで、注射器内の薬物を注入するためのガンと、
前記ガンの作動のための動力を提供すると共に、ガンの作動を制御するカートと、
から構成され、
前記ガンの作動に伴って前記極微針マウント及び注射器を用いて、人体の皮膚に多数の穴を開けると共に、前記人体の皮膚内に前記薬物を注入するようになっていることを特徴とする、マルチインジェクション可能なマイクロニードル治療装置。
【請求項２】
前記極微針マウントは、
前記注射器に連結される注射器側コネクタと、
前記ガンに装着されるガン側コネクタと、
前記注射器側コネクタと前記ガン側コネクタとを繋ぐ薬物伝達用チューブと、
前記ガン側コネクタの先端部に連結される複数本の注射針と、
前記注射針を支持するハブと、
から構成され、
前記注射器側コネクタを介して流入された前記薬物が、前記ガン側コネクタの前記注射針を介して注入されるようになっていることを特徴とする、請求項１に記載のマルチインジェクション可能なマイクロニードル治療装置。
【請求項３】
前記注射針は、前記ガン側コネクタの内部を貫通して前記薬物伝達用チューブの内部まで延びるように装着され、前記薬物伝達用チューブから前記薬物が直接伝達されることを特徴とする、請求項１又は２に記載のマルチインジェクション可能なマイクロニードル治療装置。
【請求項４】
前記ガン側コネクタの前記注射針の貫通部位には、薬物漏れ防止のためのシーリング部が形成されたことを特徴とする、請求項２に記載のマルチインジェクション可能なマイクロニードル治療装置。
【請求項５】
前記極微針マウントは、
前記注射器に連結される注射器側コネクタと、
前記薬物を注入するための中空部を有し、前記ガンに装着されるガン側コネクタと、
前記注射器側コネクタと前記ガン側コネクタとを繋ぐ薬物伝達用チューブと、
前記ガン側コネクタの先端部を貫通して結合され、前記中空部と連通する複数本の注射針と、
から構成され、
前記注射器側コネクタを介して流入された前記薬物が、前記ガン側コネクタの前記注射針を介して注入されるようになっていることを特徴とする、請求項１に記載のマルチインジェクション可能なマイクロニードル治療装置。
【請求項６】
前記ガン側コネクタの前記注射針の貫通部位には、薬物漏れ防止のためのシーリング部が形成されたことを特徴とする、請求項５に記載のマルチインジェクション可能なマイクロニードル治療装置。
【請求項７】
前記ガンは、薬物ストッパーを含み、
前記薬物ストッパーは、
前記ガンのボディの内部に設置され、前記極微針マウントと前記注射器の挿入のためのシリンダーのロッド上に装着され、前記シリンダーと共に前後に動くプレートと、
前記ガンのボディから突出して、前記プレートの前方に配置され、前記プレートと接触することにより前後に移動して、前記チューブを開放又は閉塞する棒と、
前記チューブを挟んで棒の向かい側に配置され、前記チューブの一側を支持するブラケットと、
前記棒の前方に配置されて前記棒に復原力を提供するバネと、
から構成され、
前記薬物ストッパーは、前記ガンの未作動時に前記チューブを閉鎖し、前記ガンの作動時に前記チューブの閉鎖状態を解除することを特徴とする、請求項１に記載のマルチインジェクション可能なマイクロニードル治療装置。
【発明の詳細な説明】
【技術分野】
【０００１】
本発明は、皮膚美容、脱毛治療、肥満治療などのためのマイクロニードル治療装置（miconeedle therapy system）及び方法に関し、より詳細には、複数の注射針にて人体の皮膚に穴を開けることができると共に、薬物を注入する新たな治療形態を適用して、治療時間を短縮でき、治療時の痛みを最小化できるなど、治療の効果を極大化することができるマルチインジェクション可能なマイクロニードル治療装置に関する。
【背景技術】
【０００２】
一般に、マイクロニードル治療方法は、主に、シワ、にきび除去、角質除去などのような皮膚美容及び頭髪健康のための治療法であって、皮膚に穴を開けた後、その上に薬物又は化粧品を塗って、薬物浸透が非常に速く、多量浸透するようにして、薬効を極大化する方法と、皮膚に針で刺激を与えて、これに係る人体の反射作用でコラーゲンが形成されることを誘導する方法とがあり、主要治療部位は、顔と頭皮である。
【０００３】
例えば、人体の皮膚に数百〜数万個の微細な穴を開けることで、微細な穴を開ける過程で損傷された皮膚組織の自活力を用いて、肉芽が盛り上がるようにし、微細な穴が開いた部位に治療用薬物を塗布して、この薬物が、微細な穴を介して皮膚中に早く浸透できるようにして、治療効果を極大化することができる方法である。  このようなマイクロニードル治療方法は、皮膚を剥いて、損傷された皮膚が再生することを用いてシワや色素沈着が治療される既存の治療法(レーザー、剥皮等)とは異なり、表皮を除去したり、損傷させたりすることなく、自体コラーゲン生成を誘導する新概念の細胞の復元方法と言える。  副作用がなく、簡便で、安全なマイクロニードル治療方法は、多数の針が皮膚に浸透されながら生じる自然的な傷治癒(Wound healing)作用で真皮組織が新たく構成され、再配列されるために、傷跡が薄くなり、皮膚が引っ張られることで、小さなシワが減少し、色素沈着が改善され、健康で、清潔な皮膚に回復されることができる。
【０００４】
また、数百本の針が、皮膚に数百〜数万個の度外れの微細通路（micro-chanel）を形成して、最新活性ペプチドなどの有効性分を伝達することで、治療効果を更に極大化することができる。
【０００５】
人体の皮膚に穴を形成する方法には、マルチローラ針(Multi
roller needle)を用いる方法及びレーザーを用いる方法などがある。
【０００６】
一方、メソセラピー（Mesotherapy）は、肥満治療、肉われ/シワ除去、脱毛治療などのために、注射針を介して治療用薬物を人体に注入する治療であり、服用薬や塗り薬より正確な効果を出せる治療方法である。
【０００７】
上記のように、マイクロニードル治療は、人体皮膚に穴を開けた後、その上に薬物を塗布する方法であって、ローラを用いる方法、レーザーを用いる方法、ガンを用いる方法などがあるが、このような治療法は、穴を開けた後、薬物を塗布することによって、治療時間が長く、また、塗布した薬物が、１００％人体に吸収されないので、多い量の薬物を使用しなければならないという短所がある。
【０００８】
また、メソセラピーの場合、注射針を１本使用して薬物を注射するために、肥満治療、脱毛治療などのように、多くの回数の注射が必要な場合には、治療時間が長くなり、また、注射による痛みが大きくなるという問題がある。このような問題を解決するために、極微針（microneedle）を用いた方法が提示されている。しかし、既存の極微針は、そのサイズが大きいため、自動注射ガン(メソガン：mesogun)に装着して使用するのが困難であり、これにより、手動注射用に依存して使用されている。このような手動注射によって治療される極微針メソセラピーは、注射時に相当な痛みを誘発することから、実際使用例はあまり多くないことが実情である。
【発明の概要】
【発明が解決しようとする課題】
【０００９】
本発明は、ガンの駆動方式を用いて、複数の注射針にて人体の皮膚に穴を開けながら、これと同時に、薬物を注入できる新たな治療装置及び方法を具現することで、治療時間を画期的に低減でき、痛みを最小化しながら、薬物の浸透効果を高めることができるなど、治療効果を極大化することができる、マルチインジェクション可能なマイクロニードル治療装置を提供する。
【００１０】
また、本発明は、注射する薬物の種類によって、マイクロニードル治療又はメソセラピーが全部可能であり、特に、非常に多くの回数の注射を短時間で行え、メソセラピーを効率的に行える、マルチインジェクション可能なマイクロニードル治療装置を提供する。
【課題を解決するための手段】
【００１１】
本発明のある観点によれば、薬物を伝達するための多数本の注射針が設けられ、注射器に連結される極微針マウントと、前記極微針マウントを皮膚に差し込んで、注射器内の薬物を注入するためのガンと、前記ガンの作動のための動力を提供すると共に、ガンの作動を制御するカートと、から構成され、前記ガンの作動に伴って前記極微針マウント及び注射器を用いて、人体の皮膚に多数の穴を開けると共に、前記人体の皮膚内に前記薬物を注入するようになっていることを特徴とする、マルチインジェクション可能なマイクロニードル治療装置が提供される。
【００１２】
また、前記極微針マウントの一例は、前記注射器に連結される注射器側コネクタと、前記ガンに装着されるガン側コネクタと、前記注射器側コネクタと前記ガン側コネクタとを繋ぐ薬物伝達用チューブと、前記ガン側コネクタの先端部に連結される複数本の注射針と、前記注射針を支持するハブと、から構成され、前記注射器側コネクタを介して流入された前記薬物が、前記ガン側コネクタの前記注射針を介して注入されるようになっていてもよい。
【００１３】
また、前記注射針は、前記ガン側コネクタの内部を貫通して前記薬物伝達用チューブの内部まで延びるように装着され、前記薬物伝達用チューブから前記薬物が直接伝達されるようになっていてもよい。
【００１４】
また、前記ガン側コネクタの前記注射針の貫通部位には、薬物漏れ防止のためのシーリング部が形成されてもよい。
【００１５】
また、前記極微針マウントの他の例は、前記注射器に連結される注射器側コネクタと、前記薬物を注入するための中空部を有し、前記ガンに装着されるガン側コネクタと、前記注射器側コネクタと前記ガン側コネクタとを繋ぐ薬物伝達用チューブと、前記ガン側コネクタの先端部を貫通して結合され、前記中空部と連通する複数本の注射針と、から構成され、前記注射器側コネクタを介して流入された前記薬物が、前記ガン側コネクタの前記注射針を介して注入されるようになっていてもよい。
【００１６】
また、前記ガン側コネクタの前記注射針の貫通部位には、薬物漏れ防止のためのシーリング部が形成されてもよい。
【００１７】
一方、本発明の別の観点によれば、多数本の注射針を備え、かつ、薬物伝達が可能な極微針マウントを、注射器を含むガンに装着し、ガンの件操によって極微針マウントの注射針を皮膚に差し込んで、多数の穴を開けると共に、注射器の薬物を投入できるマイクロニードル治療方法が提供される。
【００１８】
また、前記注射器の薬物種類によって、メソセラピーが可能であるようにしてもよい。
【００１９】
また、前記ガンの作動モードを変化させることによって、患者の特性に合わせて、注入速度、注入深さを調節できるようにしてもよい。
【図面の簡単な説明】
【００２０】
【図１】本発明の一実施形態に係るマイクロニードル治療装置を示す斜視図である。
【図２】本発明の一実施形態に係るマイクロニードル治療装置を示す断面図である。
【図３】本発明の他の実施形態に係るマイクロニードル治療装置を示す斜視図である。
【図４】図４は、本発明の他の実施形態に係るマイクロニードル治療装置を示す断面図である。
【図５】本発明のマイクロニードル治療装置に適用される薬物ストッパーを示す斜視図である。
【図６】本発明の一実施形態に係るマイクロニードル治療装置の使用状態を示す概略図である。
【図７】本発明の一実施形態に係るマイクロニードル治療装置の使用状態を示す概略図である。
【図８】本発明の一実施形態に係るマイクロニードル治療装置の使用状態を示す概略図である。
【発明を実施するための形態】
【００２１】
本発明は、基本的には、皮膚に注射針にて穴を開け、この際の注射針を介して薬物を投入する一方、一回の注射時に複数の注射針にて同時に薬物注入が可能なマイクロニードルインジェクション方式を採択している。本発明の装置を用いて注入される薬物の種類によって治療時間が短く、薬物浸透の効果が極大化するマイクロニードル治療の具現が可能であり、また、非常に多くの回数の注射を短時間で行えるメソセラピーの具現が可能である。
【００２２】
例えば、マイクロニードル治療法及びメソセラピー法において、本発明では、新たな方式の極微針及びその注射装置を具現した。
【００２３】
このために、所定のマウントに複数の注射針を装着した後、この注射針に薬物を供給できる装置が準備され、注射針が装着されたマウントを駆動できるガン、すなわち、複数の注射針が、同時に人体皮膚に注射できるようにするガンと、ガンの駆動装置、例えば、ガンの駆動制御のためのカート（cart）とを備え、注射する薬物の種類によって、マイクロニードル治療用又はメソセラピー用などで使用できるようにした。
【００２４】
したがって、複数の微細な注射針が差し込まれているマウントをガンに装着した後、このマウントに直線方向に力を加えて、複数の注射針が同時に人体の皮膚を突き抜けるようにすると共に、引き続いて、皮膚中の注射針を介して薬物が注入され得るようにすることによって、治療時間を画期的に低減でき、薬物の浸透効果を最大限高めることができるなど、マイクロニードル治療又はメソセラピーの効果を極大化することができる。
【００２５】
制御手段としてのカートは、マイクロニードル治療又はメソセラピー時に使用される通常のカートを適用できるが、例えば、電源の供給、エアーなどのような動力の供給、ガンの動作速度及びモード制御などの仕事をする部分であり、内部には、ＳＭＰＳ形式の電源供給装置、ＬＣＤ制御及びソレノイドバルブなどの制御のための制御ロジック(プログラム)及びガンのモード変換のための制御ロジックを含むメインボード、圧縮空気を発生させ、これを提供するコンプレッサーなどを含み、ガン側に電気的にかつ空圧的に繋がる。
【００２６】
また、カートには、外部操作及び表示手段としては、各種スイッチ類と動作関係などのディスプレイのための表示窓、電源ＯＮ/ＯＦＦの可否を報知するランプ類などが含まれることができる。
【００２７】
このようなカートは、ガンに対する電源及びエアーの供給はもちろん、ガンの動作に関連する速度制御及び治療進行状態をディスプレイするなどの役割を行うようになる。
【００２８】
例えば、カートに電源が提供されると、ＡＣ電源が供給され、コンプレッサーとＳＭＰＳとを稼動させ、ＬＣＤ制御及び注射針の挿入速度を制御、すなわち、本体カートのＬＣＤに表示されることを制御するものであり、モードスイッチを押えることで、モード変化が行われ、モードの選択に従って注射針の挿入速度が制御されることができる。
【００２９】
一方、ガンの場合、注射針が装着されている極微針マウントを直接人体の皮膚に差し込む仕事と、極微針マウントに繋がっている注射器の中の薬物を加圧する仕事をする部分であって、拳銃形態をしており、取手部分には、トリガー模様のＯＮ/ＯＦＦスイッチが備えられており、銃口には、極微針マウントを挿入することのできるブラケットが備えられている。
【００３０】
したがって、ガンの銃口に極微針マウントを嵌め込んで固定させた後、スイッチを押さると、極微針マウントが前進するようになるので、極微針マウントにある注射針にて人体の皮膚に穴を開けることができ、継続的なガンの作動により注射器が加圧されると、注射器の中の薬物が、極微針マウントを経て、最終的に注射針を介して人体の皮膚中に投入されることができる。
【００３１】
この場合のガンも、マイクロニードル治療又はメソセラピー時に使用される通常のカートを適用できる。
【００３２】
ここで、カートのメインボードの制御動作と関連して、モードの選択に従って注射針の挿入速度や挿入深さを制御する方法、また、ガンの作動を制御する方法などは、当該技術分野において通常知られている方法であれば、特に制限することなく採択できる。
【００３３】
以下、添付の図面を参照して、本発明の一実施形態に係るマイクロニードル治療装置及び治療方法について詳細に説明する。
【００３４】
図１は、本発明の一実施形態に係るマイクロニードル治療装置を示す斜視図であり、図２は、本発明の一実施形態に係るマイクロニードル治療装置を示す断面図である。
【００３５】
図１と図２に示したように、ここでは、多数本の注射針１０が備えられている極微針マウント１２の一例を示す。
【００３６】
前記極微針マウント１２は、注射器１１に繋がる部分であって、薬物の伝達が可能な構造を有し、大きく、注射器側に繋がる部分と、ガン側に装着される部分と、一定長さのチューブ部分と、実質的に人体の皮膚に差し込まれる部分と、から構成されており、ガンの作動時に、注射器から薬物を供給され、注射針を介して人体の皮膚に対して多数の穴を開けることができると共に、薬物を投入できるようになっている。
【００３７】
このために、前記極微針マウント１２は、注射器に繋がる円筒形の注射器側コネクタ１５と、着脱可能な構造で挟まれて支持されるフランジ形態の装着部２１を有すると共に、ガンに装着されるガン側コネクタ１６と、注射器側コネクタ１５とガン側コネクタ１６との間に繋がる薬物伝達用チューブ１７と、ガン側コネクタ１６の先端部に結合されるハブ１８が設置される多数本の注射針１０と、などを含む。
【００３８】
前記注射器側コネクタ１５の場合、注射器の先端部を一部納める形態で注射器側に繋がることができ、後段部には、注射器の薬物吐出部が差し込まれ得るパッド２２が備えられており、注射器側との連結時に、注射器針は、パッド２２を貫通して、コネクタの内部まで進入された状態になり得る。
【００３９】
また、注射針１０は、ハブ１８に差し込まれた状態でガン側コネクタ１６の内部を貫通して、その後段の薬物伝達用チューブ１７の内部まで延びる形態で装着されている。
【００４０】
これにより、薬物伝達用チューブ１７まで供給された薬物は、注射針１０に直接入った後、人体の皮膚中に注射されることができる。
【００４１】
また、前記ガン側コネクタ１６の注射針が貫通する部位には、薬物漏れ防止のためのシーリング部１９aとして処理されており、この場合のシーリング処理は、通常の方式を適用できる。
【００４２】
図３は、本発明の他の実施形態に係るマイクロニードル治療装置を示す斜視図であり、図４は、本発明の他の実施形態に係るマイクロニードル治療装置を示す断面図である。
【００４３】
図３と図４に示したように、ここでは、多数本の注射針１０が備えられている極微針マウント１２の他の例を示しており、当該一例の極微針マウントと基本的な構造や機能は同一であり、注射針の装着形態など、一部だけ異なる形態を有している。
【００４４】
前記極微針マウント１２は、注射器との連結のために、パッド２２を有する注射器側コネクタ１５と、ガン側に装着されるためのガン側コネクタ１６ｂと、薬物伝達用チューブ１７と、多数本の注射針１０と、などを含む。
【００４５】
特に、前記ガン側コネクタ１６ｂの場合、内部に中空部２０が造成されており、その先端部に直接差し込まれる形態で装着される注射針１０が、この場合の中空部２０と連通可能になる。
【００４６】
これにより、薬物伝達用チューブ１７を経て、中空部２０まで供給された薬物は、注射針１０に入った後、人体の皮膚中に注射されることができる。
【００４７】
この場合の前記ガン側コネクタ１６ｂの注射針が貫通する部位、すなわち、ガン側コネクタの先端部の注射針が差し込まれる部位もシーリング部１９ｂとして処理されており、薬物漏れを防止できるようになる。
【００４８】
一方、本発明では、薬物注入と関連して、薬物の損失を防止できる手段を提供する。
【００４９】
このために、図５に示したように、薬物ストッパーが提供される。薬物ストッパーは、ガン１３のボディの内部に設置され、極微針マウントと注射器の挿入のためのシリンダー(図示せず)のロッド上に装着され、シリンダーの作動時に、前後に共に動くプレート２３と、ガンのボディから外部に突出して、前記プレート２３の前方に配置され、このプレート２３との接触により前後に位置を移動してチューブを開放又は閉塞する棒２４と、チューブを挟んで棒２４の向かい側に配置され、チューブの一側を支持するブラケット２５と、前記棒２４の前方に配置され、棒２４に復原力を提供するバネ２６と、を含む。
【００５０】
これにより、ガンの作動前の状態で、薬物伝達用チューブ１７は、棒２４とブラケット２５との間で圧搾されながら閉鎖されるので、薬物が漏れ出すことがなくなる。
【００５１】
ガンが作動する状態、すなわち、極微針マウントが前方に移動して皮膚に差し込まれる状態では、プレート２３により棒２４が前方に押出されて、圧搾していたチューブから離れるようになるので、閉鎖されていたチューブが開放され、薬物を注入可能な状態となる。
【００５２】
すなわち、極微針マウントの注射針が皮膚に差し込まれる前に、チューブが開放されるので、薬物注入には、全く問題がなくなる。
【００５３】
注射処置後、棒は、元の位置に戻りながら再度チューブを圧搾可能な状態に復帰できるようになる。
【００５４】
したがって、このように構成された本発明のマイクロニードル治療装置を用いた治療方法を考察してみると、以下の通りである。
【００５５】
図６から８は、本発明の一実施形態に係るマイクロニードル治療装置においてガンの動作状態を示す概略図である。
【００５６】
図６から８に示したように、前記マイクロニードル治療方法は、基本的に極微針マウントの多数本の注射針を直線動作ができるガンに装着し、この場合のガンを操作して、極微針マウントの注射針を皮膚に対して垂直方向に差し込んだ後、引き続いて、注射器にある薬物を注射針を介して注射する方式を採択している。
【００５７】
このような治療方法は、一定の速度、一定の深くで注射針の浸透が可能である。
【００５８】
まず、準備段階として、電源の連結後、カートとガンとを繋ぎ、電源スイッチをＯＮさせた後、モードスイッチを操作して、各患者の特性に合わせてモードを設定する一方、互いに繋がっている注射器と極微針マウントとをガンに装着して使用する。
【００５９】
この場合、ガンのストロークは、モードに合わせて設定されているために、注射針の挿入深さが調節できる。
【００６０】
ガンの銃口に装着されている極微針マウント１２の端部、すなわち、注射針１０を治療部位の皮膚に当てた後、ガンスイッチを押えると、ガンの１段階作動と共に、極微針マウント１２及び注射器１１の全てが前方に前進するようになりながら、その前端部の注射針１０が皮膚を突き抜けながら穴を開けるようになり、引き続いて、ガンの２段階作動と共に、注射器１１のプランジャーが押圧されながら、注射器の中の薬物が、極微針マウントに供給され、結局、注射針１０を介して皮膚中に浸透できるようになる。
【００６１】
このような過程が数回繰り返して進行されながら、人体の皮膚に数百〜数万ケの穴を開けることができるようになり、また、これと同時に、皮膚中に薬物を注射できるようになるものである。
【００６２】
このように、本発明で提供するマイクロニードル治療方法は、表皮にチャンネル形成及び薬物注入を同時に行える方法であって、瞬間的に表皮に多くのチャンネルを形成し、また、これと同時に、薬物も注入できるので、従来のように手作業に依存するものと比較すれば、治療負担感を減らすことができる。
【００６３】
また、注射針が垂直に皮膚に差し込まれるようになるので、従来ローラを擦る時より、痛みを９０％以上減少することができ、注射針の挿入深さの調節が可能なので、深い傷跡も効果的に治療することができる。
また、極微針マウントに装着される多数本の注射針を装着して、例えば、極微針マウントの直径を１０mmと製作する場合、９本の注射針を装着して、狭い部位を部位別に治療することができる。
【産業上の利用可能性】
【００６４】
本発明は、多数本の注射針にて人体の皮膚に穴を開け、これと同時に、薬物を注入することによって、治療時間を低減でき、治療時に痛みを最小化でき、薬物の浸透効果を高めることができるという長所がある。
【００６５】
また、薬物の種類によって、マイクロニードル治療だけでなく、非常に多くの回数の注射を短時間で行えるメソセラピーが可能であるという効果がある。
【００６６】
また、穴の深さの調節及び分当りの皮膚浸透回数の調節が可能なので、治療効果を高めることができるという長所がある。
【００６７】
また、ローラを使用する場合より、使い捨て針の値段が低くなり、レーザー装置より簡単な駆動装置を使用して、より安価な費用でマイクロニードル治療及びメソセラピーが可能であるという長所がある。
【００６８】
また、少ない面積への治療が可能なだけでなく、深い部位の治療が可能であり、部位別治療が可能であるという長所がある。
【図１】
2010508058.tif 000003
【図２】
2010508058.tif 000004
【図３】
2010508058.tif 000005
【図４】
2010508058.tif 000006
【図５】
2010508058.tif 000007
【図６】
2010508058.tif 000008
【図７】
2010508058.tif 000009
【図８】
2010508058.tif 000010
【国際調査報告】
2010508058.tif 000011
2010508058.tif 000012